(57)【特許請求の範囲】
【請求項１】
圧力トランスデューサ(260)と、
前記圧力トランスデューサに結合されたプロセッサ(230)と、
前記プロセッサに結合された1つ以上の光源(200)と
を備える空中給油アセンブリであって、
前記圧力トランスデューサは、前記空中給油アセンブリ内の燃料圧を検出して前記空中給油アセンブリ内の検出された燃料圧を示す信号を提供するように構成され、
前記プロセッサは、前記信号を受信して、検出された燃料圧に関連する態様で前記1つ以上の光源を閃光させるように構成される、空中給油アセンブリ(130)。
【請求項２】
前記1つ以上の光源が、1つ以上の発光ダイオードまたは赤外線発光ダイオードを含む、請求項1に記載の空中給油アセンブリ(130)。
【請求項３】
前記プロセッサが、前記信号を受信して、検出された燃料圧に関連する速度またはパターンで前記1つ以上の光源を閃光させるように構成される、請求項1または2に記載の空中給油アセンブリ(130)。
【請求項４】
前記圧力トランスデューサが、前記空中給油アセンブリのドローグアセンブリ(150)内の燃料圧を検出して、前記空中給油アセンブリの前記ドローグアセンブリ内の検出された燃料圧を示す信号を提供するように構成される、請求項1から3のいずれか一項に記載の空中給油アセンブリ(130)。
【請求項５】
前記1つ以上の光源が、蛍光光源、ネオン光源、レーザ光源および白熱光源のうちの1つ以上を含む、請求項1から4のいずれか一項に記載の空中給油アセンブリ(130)。
【請求項６】
空中給油アセンブリ内の燃料圧を測定する方法であって、
センサ(260)を介して、前記空中給油アセンブリ内の燃料圧を検出するステップと、
検出された燃料圧に関連する態様で1つ以上の光源(200)を閃光させるようにプロセッサ(230)によって制御するステップと、
カメラ(210)を介して、前記1つ以上の光源から閃光を受けるステップと、
前記1つ以上の光源からの閃光を含む前記空中給油アセンブリの一部の眺めを、ディスプレイ(330)に表示するステップとを含む、方法。
【請求項７】
前記1つ以上の光源が、1つ以上の赤外線発光ダイオードまたは赤外光源を含む、請求項6に記載の方法。
【請求項８】
空中給油アセンブリ内の燃料圧を測定するシステム(100)であって、
圧力トランスデューサ(260)と、プロセッサ(230)と、1つ以上の光源(200)とを含むセンサシステムであって、前記プロセッサは前記圧力トランスデューサに結合され、前記1つ以上の光源は前記プロセッサに結合され、前記圧力トランスデューサは、前記空中給油アセンブリ内の燃料圧を検出して、前記空中給油アセンブリ内の検出された燃料圧を示す信号を提供するように構成され、前記プロセッサは、前記信号を受信して、検出された燃料圧に関連する態様で前記1つ以上の光源を閃光させるように構成される、センサシステムと、
カメラ(210)とディスプレイ(330)とを含む視覚システムであって、前記1つ以上の光源からの閃光は前記カメラによって捉えられ、かつ、映像として前記ディスプレイに表示される、視覚システムとを含む、システム。
【請求項９】
前記ディスプレイに表示された閃光が、前記空中給油アセンブリのドローグアセンブリ(150)内の燃料圧のリアルタイム表示である、請求項8に記載のシステム。
【請求項１０】
前記1つ以上の光源が、1つ以上の赤外線発光ダイオードまたは赤外光源を含む、請求項8または9に記載のシステム。
【発明の詳細な説明】
【技術分野】
【０００１】
本開示のいくつかの例は、圧力を示すためのシステムおよび方法に関し、特に、空中給油アセンブリにおける圧力を示すためのシステムおよび方法に関する。
【背景技術】
【０００２】
給油機および受油機などの2つの航空機間の空中給油の間、空中給油工程についてのリアルタイムの情報を取得することは困難である。空中給油工程の間にデータが収集される場合、そのデータは、給油機に搭載された記憶装置に記憶される。記憶装置に記憶されたデータは、給油機が着陸した後にアクセスして分析することができるだけである。記憶装置は、給油機から取り外され（例えば螺脱され）るか、あるいは、データが地上の技術者によって記憶装置からダウンロードされる。データの分析は、かなり後に行われる可能性がある。
【発明の概要】
【発明が解決しようとする課題】
【０００３】
例えば空中給油アセンブリにおける圧力を示すためのシステムおよび方法のいくつかの例は、実質的に、複数の図面のうち少なくとも1つに関連して示され、および／または説明される通りであり、特許請求の範囲においてより完全に記載されている通りである。
【課題を解決するための手段】
【０００４】
いくつかの例は、空中給油アセンブリを提供する。空中給油アセンブリは、例えば、圧力トランスデューサと、プロセッサと、1つ以上の光源とを含む。プロセッサは、圧力トランスデューサに結合される。1つ以上の光源は、プロセッサに結合される。圧力トランスデューサは、空中給油アセンブリ内の燃料圧を検出して、空中給油アセンブリ内の検出された燃料圧を示す信号を提供するように構成される。プロセッサは、信号を受信して、検出された燃料圧に関連する態様で1つ以上の光源を閃光させるように構成される。
【０００５】
いくつかの例は、空中給油アセンブリ内の燃料圧を測定する方法を提供する。この方法は、例えば以下の、センサを介して、空中給油アセンブリ内の燃料圧を検出するステップ、検出された燃料圧に関連する態様で1つ以上の光源を閃光させるようにプロセッサによって制御するステップ、カメラを介して、1つ以上の光源から閃光を受けるステップ、および、1つ以上の光源からの閃光を含む空中給油アセンブリの一部の眺めを、ディスプレイに表示するステップのうちの1つ以上を含む。
【０００６】
いくつかの例は、空中給油アセンブリ内の燃料圧を測定するシステムを提供する。このシステムは、例えば、センサシステムおよび視覚システムを含む。センサシステムは、例えば、圧力トランスデューサと、プロセッサと、1つ以上の光源とを含む。プロセッサは圧力トランスデューサに結合され、1つ以上の光源はプロセッサに結合される。圧力トランスデューサは、空中給油アセンブリ内の燃料圧を検出して、空中給油アセンブリ内の検出された燃料圧を示す信号を提供するように構成される。プロセッサは、信号を受信して、検出された燃料圧に関連する態様で1つ以上の光源を閃光させるように構成される。視覚システムは、例えば、カメラとディスプレイとを含む。1つ以上の光源からの閃光はカメラによって捉えられ、かつ、映像としてディスプレイに表示される。
【０００７】
これらの利点およびその他の利点、態様および新規の形態、ならびに図示の例の詳細は、以下の説明および図面から、より完全に理解されるであろう。
【０００８】
これまでに説明してきた形態、機能および利点を、様々な例において独立に達成することができ、または、さらにその他の例において組み合わせてもよい。これらのさらなる詳細は、以下の説明および図面を参照して理解することができる。
【図面の簡単な説明】
【０００９】
【図１】空中給油のためのシステムの一例を示す図である。
【図２】空中給油アセンブリ内の燃料圧を測定するシステムの一例を示す図である。
【図３】航空機の一部である遠隔システムの一例を示す図である。
【図４】空中給油を監視するための方法の一例を示す図である。
【発明を実施するための形態】
【００１０】
いくつかの例は、圧力を示すためのシステムおよび方法を提供する。特定の例の多くの具体的な詳細は、このような例の十分な理解を提供するために、以下の説明および図面において記載される。しかし、追加の例があり得ること、または、これらの例のいくつかが、以下の説明に記載された詳細のいくつかを用いずに実施することができることを、当業者は理解するであろう同様の番号は、全体を通して同様の要素を指す。
【００１１】
図1は、空中給油のためのシステム100の一例を示している。システム100は、例えば、第1航空機110（例えば給油機）および第2航空機120（例えば受油機）を含む。
【００１２】
図1を参照して、第1航空機110は、例えば、空中給油アセンブリ130を含む。空中給油アセンブリ130は、例えば、燃料経路140（例えば燃料ホース）と、燃料経路140に取り付けられたドローグ150とを含む。燃料経路140は、例えば、ホースドラムユニット（HDU）の一部であってもよく、可撓性があってもよい。
【００１３】
ドローグ150は、例えば、燃料弁160と、シュラウド170と、連結器180とを含む。燃料弁160は、ドローグ150を燃料経路140へ接続する。連結器180は、燃料弁160に接続され、かつシュラウド170に覆われている。ドローグ150はまた、例えば、例えば空中給油アセンブリ130内の燃料圧を測定するシステム190を含む。
【００１４】
システム190は、例えば、空中給油アセンブリ130内の燃料圧を示すように構成される1つ以上の赤外光源200（例えば1つ以上の赤外線発光ダイオード（LED））を含む。一例では、システム190は連結器180内の燃料圧を示す。1つ以上の赤外光源200はドローグ150から延伸する。一例では、1つ以上の赤外光源200は、シュラウド170を介して外側へ突出する。第1航空機110はまた、例えば、赤外光源200から赤外光を受けるように構成された1つ以上のカメラ210を含む。1つ以上のカメラ210および空中給油アセンブリ130は、第1航空機110の胴体上に配置されるか、または第1航空機110の胴体に接続されているように図1に示されているが、1つ以上のカメラ210および／または空中給油アセンブリ130は、例えば翼などの、第1航空機110のその他の部分上に配置されるか、あるいは第1航空機110のその他の部分に接続されてもよい。
【００１５】
図1を参照して、第2航空機120は、例えば、プローブ220を含む。プローブ220は剛性があってもよい。プローブ220およびドローグ150は、プローブ220を燃料経路140へ連結するように構成され、これにより、燃料を第1航空機110から第2航空機120へ送達することができる。
【００１６】
動作において、第1航空機110は、飛行中に燃料経路140およびドローグ150を解放する（例えば繰り出す）。第2航空機120は第1航空機110に接近し、プローブ220をドローグ150へ差し込む。ドローグ150は、連結器180と接続するように、プローブ220を導く。連結器180はプローブ220を把持する。連結器180がプローブ220を把持している間、燃料が第1航空機110から第2航空機120へ流れることができるように、燃料弁160は開放される。
【００１７】
システム190は、空中給油アセンブリ130内の燃料圧を検出および測定する。一例では、システム190は、連結器180内の燃料圧を検出および測定する。その後、システム190は、連結器180内の燃料圧を示すために特定のパターンで、1つ以上の赤外光源200を発光させる（例えばオンおよびオフにする）。一例では、燃料圧を、連結器180とプローブ220との把持状態の指標とすることができる。連結器180とプローブ220との間の強い把持または強い物理リンクは、システム190によって検出された強い燃料圧によって示される。弱い把持または弱い物理リンクは、システム190によって検出された弱い燃料圧によって示される。さらに、弱い燃料圧は、空中給油アセンブリ130内の異常を示している可能性がある。
【００１８】
閃光パターンまたは1つ以上の赤外光源200によって生成されたその他の赤外線出力は、1つ以上のカメラ210によって受けられる（例えば視覚的に捉えられる）。1つ以上のカメラ210によって受けられた閃光パターンまたはその他の生成された赤外線出力はその後、空中給油アセンブリ130および給油工程を監視しているか、または制御している第1航空機110上の担当者へリアルタイムで表示される（例えばリアルタイムの視覚表示）。
【００１９】
図2は、空中給油アセンブリ130の一例を示している。図2を参照して、空中給油アセンブリ130は、例えば、1つ以上のプロセッサ230と、1つ以上のメモリ240（例えば1つ以上の非一時的なメモリ）と、1つ以上の記憶装置250と、1つ以上のセンサ260と、1つ以上の電源270と、1つ以上の赤外光源200と、1つ以上のバス280とを含む。プロセッサ230、メモリ240、記憶装置250、センサ260、電源270および赤外光源200は、バス280を介して互いに通信するように構成される。いくつかの例では、構成要素のうち1つ以上は、バス280に加えて、またはバス280に代えて、ケーブルまたは配線を介して互いに通信するものとする。いくつかの例では、構成要素のうち1つ以上は、バス280に加えて、またはバス280に代えて、ケーブルまたは配線を介して互いに無線通信するものとする。また、いくつかの例では、構成要素のうち1つ以上は、1つ以上のチップ上のプリント回路基板および／または集積回路の一部であるとする。一例では、例えばセンサ260、プロセッサ230および赤外光源200を含む少なくともいくつかの構成要素は、空中給油アセンブリ130（例えばMA-4空中給油アセンブリ）内に配置されたセンサパッケージの一部である。
【００２０】
データ、コードおよび／または命令（例えばプロセッサ実行可能命令）は、メモリ240に記憶されてもよく、コードおよび／または命令は、本明細書に記載された、または当業者に知られているようなアプリケーション、形態、プログラム、操作、動作および／または機能を提供、実施、または実行するように、プロセッサ230によって実行されてもよい。一例では、センサ260、電源270、赤外光源200、記憶装置250、メモリ240およびバス280を監視または制御するようにプロセッサ230を構成するために、データ、コードおよび／または命令は、プロセッサ230によって実行されてもよい。例えば、プロセッサ230は、センサ260を監視または制御し、かつ、例えばセンサ260によって検出された燃料圧を示す特定のパターンで、赤外光源200を（例えば閃光させるために）オンまたはオフするように制御するように構成されてもよい。プロセッサ230はまた、本明細書に記載され、かつ当業者に知られているその他の行為または動作を行うように構成されてもよい。
【００２１】
センサ260は、例えば、連結器180の側面へインサートされるか、またはねじ込まれる圧力トランスデューサを含んでもよい。一例では、燃料圧トランスデューサは、連結器180の側面に挿通される。連結器180の側面は、例えば、プローブ220を確実に掴むか、またはプローブ220を把持するためのアクチュエータとして作用する油圧アクチュエータの一部であってもよい。
【００２２】
電源270は、図2に示す様々な構成要素に電力を供給するように構成される。電源270は、ドローグ150の一部であってもよく、あるいは、ドローグ150の外部にあってもよい。電源270は、例えば1つ以上のバッテリであってもよい。また、電源270は、電力用の発電機をタップ接続してもよい。さらに、電源270は、例えば電力を発生させるために第1航空機110が飛行中のときに移動する空気に依存する空気駆動式発電機を含んでもよい。
【００２３】
赤外光源200は、赤外線発光ダイオード（LED）、赤外線レーザおよび赤外線電球を支持するように構成されてもよい。赤外光は、肉眼では見えず、低エネルギーの電磁放射であるが、空中給油の間の第1航空機110および第2航空機120の検出能を低減するために使用することができる。いくつかの例は、可視光、電波、マイクロ波などのその他の種類の電磁波を用いることを考慮する。いくつかの例は、蛍光光源、ネオン光源、レーザ光源および白熱光源などの光源を提供する。いくつかの例は、電磁波を送受信するためにアンテナおよび／またはアンテナ素子を用いることを考慮する。
【００２４】
記憶装置250は、センサ260によって受信されるデータを記憶するように構成されてもよい。記憶装置250は、例えば、ハードドライブ、光学式ドライブ、フラッシュドライブ、メモリカード、半導体メモリなどであってもよい。一例では、記憶装置250は、例えば、内蔵データロガーを含んでもよい。記憶装置250は、データを記憶装置250からダウンロードできるように、取り外し可能であってもよく、あるいはインタフェースを提供してもよい。着陸後、例えば保守作業員は、分析のために記憶装置250を取り外すか、あるいは記憶装置250からデータをダウンロードすることができる。
【００２５】
動作において、かつ、図2および図4を参照して、センサ260は、空中給油アセンブリ130内の燃料圧をステップ360で検出する。一例では、センサ260は、連結器180内の燃料圧を検出する。センサ260は、例えば、連結器180の側面へインサートされるか、またはねじ込まれる圧力トランスデューサを含んでもよい。一例では、燃料圧トランスデューサは、連結器180の側面に挿通される。連結器180の側面は、例えば、プローブ220を確実に掴むか、またはプローブ220を把持するためのアクチュエータとして作用する油圧アクチュエータの一部であってもよい。
【００２６】
一例では、センサ260は、連結器180内の燃料圧を検出し、かつ、バス280を介して1つ以上の信号をプロセッサ230へ送信する。1つ以上の信号は、例えば、検出された燃料圧を示す。プロセッサ230は、センサ260から受信した1つ以上の信号を処理する。
【００２７】
ステップ370では、プロセッサ230は、センサ260によって検出された燃料圧に関連する態様で閃光するように、赤外光源200を制御する。一例では、プロセッサ230は、空中給油アセンブリ130、特に連結器180内の燃料圧を、センサ260から受信した1つ以上の信号から測定することができる。測定された燃料圧に基づいて、プロセッサ230は、測定された燃料圧を示す特定の態様で、赤外光源200（例えば赤外LED）を点灯または閃光させることができる。
【００２８】
例えば、プロセッサ230は、検出または測定された燃料圧の関数として、赤外光源200を周期的に点灯または閃光させることができる。プロセッサ230は、赤外光源200を、より高い燃料圧に対して高速に閃光させ、かつ、より低い燃料圧に対して低速に閃光させるようにプログラムされてもよく、またその逆であるようにプログラムされてもよい。閃光の速度および／またはパターンは、メモリ240または記憶装置250に記憶されたテーブル、スタックまたはその他のデータ構造から測定、算出および／または読み出されてもよい。プロセッサ230は、赤外光源の個々の要素（例えば赤外LED）を順に、および／または特定の速度で点灯させて、検出または測定された燃料圧を示すように構成されてもよい。
【００２９】
他の例では、プロセッサ230は、検出または測定された燃料圧を示す符号化された態様で、赤外光源200の全ての要素または特定の要素（例えば赤外LED）を点灯または閃光させてもよい。例えば、赤外LEDは、シュラウド170を介して、またはシュラウド170から外側へ延伸するドローグ150の周りに配置されてもよい。プロセッサ230はその後、ドローグ150の周りで赤外LEDを連続して点灯または閃光させてもよい。したがって、要素の時計回りまたは反時計回りの閃光は、十分な、または不十分な燃料圧を示してもよい。さらに、閃光の速度は、燃料圧の量を示すことがある。点および線が1つ以上の赤外LEDの閃光の長さによって示されるモールス信号と同様の、その他のコードを実行してもよい。
【００３０】
他の例では、プロセッサ230は、赤外光源200の少なくともいくつかの特定の要素を点灯または閃光させて、検出または測定された燃料圧に加えてその他の測定基準を示してもよい。例えば、赤外光源200の少なくともいくつかの特定の要素は、第2航空機120のプローブ220と第1航空機110の連結器180との間の良好な把持を示すように、点灯または閃光してもよい。
【００３１】
図3は、第1航空機110の一部または第1航空機110内に配置された遠隔システム290の一例を示している。図3を参照して、遠隔システム290は、例えば、1つ以上のプロセッサ300と、1つ以上のメモリ310（例えば1つ以上の非一時的なメモリ）と、1つ以上の記憶装置320と、1つ以上の赤外線カメラ210と、1つ以上のディスプレイ330と、1つ以上のその他の入出力（I／O）装置と、1つ以上のバス350とを含む。
【００３２】
データ、コードおよび／または命令（例えばプロセッサ実行可能命令）は、メモリ310に記憶されてもよく、コードおよび／または命令は、アプリケーション、形態、プログラム、操作、動作および／または本明細書に記載された、または当業者に知られているような機能を提供、実施、または実行するように、プロセッサ300によって実行されてもよい。一例では、赤外線カメラ210、ディスプレイ330、その他の入出力装置340、記憶装置320、メモリ310およびバス350を監視または制御するようにプロセッサ300を構成するために、データ、コードおよび／または命令は、プロセッサ300によって実行されてもよい。例えば、プロセッサ300は、赤外線カメラ210が赤外光源200から出力された光を受けるように、赤外線カメラ210を監視または制御するように構成されてもよい。プロセッサ300はまた、本明細書に記載され、かつ当業者に知られているその他の行為または動作を行うように構成されてもよい。
【００３３】
プロセッサ300、メモリ310、記憶装置320、赤外線カメラ210、ディスプレイ330およびその他の入出力装置は、バス350を介して互いに通信するように構成される。いくつかの例では、構成要素のうち1つ以上は、バス350に加えて、またはバス350に代えて、ケーブルまたは配線を介して互いに通信するものとする。いくつかの例では、構成要素のうち1つ以上は、バス350に加えて、またはバス350に代えて、ケーブルまたは配線を介して互いに無線通信するものとする。また、いくつかの例では、構成要素のうち1つ以上は、1つ以上のチップ上のプリント回路基板および／または集積回路の一部であるとする。
【００３４】
一例では、赤外線カメラ210は、赤外線カメラ210が赤外光源200と直接視線上にあるように、第1航空機110に配置される。複数の赤外線カメラ210は、ドローグ150、および、特に赤外光源200の複数の眺め（例えば全体像）を提供するように配置されてもよく、赤外光源200は、例えば、シュラウド170の周り、またはシュラウド170から突出して離間した複数の赤外LEDであってもよい。一例では、赤外線カメラ210は、赤外線スペクトルおよび可視スペクトルを含む広域スペクトルカメラの一部である。他の例では、赤外線カメラ210は、赤外線カメラ210と同様に専用の可視スペクトルカメラを含む広域スペクトルカメラシステム内の専用の赤外線カメラである。一例では、赤外線カメラ210は、例えば、ホース圧、燃料レベルおよび／または燃料圧のリアルタイムの視覚的（例えば視覚限定の）表示を提供する空中給油オペレータステーション（AROS）赤外線カメラシステムの一部である。
【００３５】
記憶装置320は、赤外線カメラ210が受信したデータ、およびその他の構成要素からのデータを記憶するように構成されてもよい。記憶装置320は、例えば、ハードドライブ、光学式ドライブ、フラッシュドライブ、メモリカード、半導体メモリなどであってもよい。記憶装置320は、データを記憶装置320からダウンロードできるように、取り外し可能であってもよく、あるいはインタフェースを提供してもよい。着陸後、例えば保守作業員は、分析のために記憶装置320を取り外すか、あるいは記憶装置320からデータをダウンロードすることができる。
【００３６】
ディスプレイ330は、赤外光源200からの赤外線出力を表示するように構成されてもよい。赤外光源からの赤外線出力が可視光スペクトル内にないため、赤外線カメラ210および／またはプロセッサ300は、赤外線出力を可視出力としてディスプレイに提供するように構成される。一例では、赤外光源は、ディスプレイ330に表示された場合、可視光スペクトルへ周波数シフトされる。赤外線カメラ210からの供給は、空中給油工程を監視している作業員へ追加の情報をリアルタイムで提供するためにディスプレイ330に表示されるデータの上または下のオーバーレイとして構成されてもよい。
【００３７】
動作において、かつ図3および図4を参照して、赤外線カメラ210は、ステップ380で赤外光源200から出力（例えば点滅光）を受ける。赤外線カメラ210は、異なる角度からの赤外光源200を眺めるように整列する複数のカメラを提供することができる。プロセッサ300は、赤外線カメラ210の方向、焦点またはその他のパラメータを変更するように、赤外線カメラ210を制御することができる。一例では、赤外線カメラ210は赤外線ビデオカメラであり、プロセッサ230および／またはディスプレイ330にビデオ画像を提供する。赤外線カメラ210、プロセッサ300および／またはディスプレイ330は、赤外光源200からの赤外光を、ディスプレイ330に表示することができる可視光に変換する。
【００３８】
ステップ390では、ディスプレイ330は、赤外線カメラ210が捉えているものを表示する。一例では、ディスプレイ330は、赤外光源200からの赤外閃光を含む空中給油アセンブリの少なくとも一部分の眺めを表示し、この赤外閃光は、ディスプレイ330上で可視閃光に変換される。その後、作業員は、例えば空中給油の間の燃料圧を測定するために、赤外光源200から光のパターンを読み取ることができる。一例では、赤外光源200から出力された閃光またはその他の光の眺めをディスプレイ330に示されたデータをオーバーレイまたはアンダーレイする。したがって、例えば、作業員は、飛行に関する情報を監視することができるだけでなく、第1航空機110および第2航空機120間の空中給油の間の、空中給油アセンブリ130、または特に連結器180（例えばMA-4連結器アセンブリ）の燃料圧をリアルタイムで監視することができる。一例では、燃料圧を、ドローグ150のプローブ220に対する把持の指標とすることができる。ドローグ150のプローブ220に対する把持についてのリアルタイムの情報を考慮して、作業員は、例えば把持および燃料の流れを改善するように、飛行経路または空中給油アセンブリ130に対して調整を行うことができる。
【００３９】
図2または図3に示された構成要素のいくつかは、第1航空機110の既存のシステムによって提供されてもよい。したがって、例えば、既存のカメラシステム、コンピュータおよびディスプレイは、本明細書の説明の観点から変更されてもよい。
【００４０】
その他の例は、機械および／またはコンピュータによって実行される少なくとも1つのコード部を有する機械コードおよび／またはコンピュータプログラムを記憶し、これによって、機械および／またはコンピュータにセンサ用の統合アンテナ送受信機のための本明細書に記載のステップ、および回転軸上でのデータ伝送を行わせる、非一時的なコンピュータ可読媒体および／または記憶媒体、および／または非一時的な機械可読媒体および／または記憶媒体を提供してもよい。
【００４１】
したがって、本開示の例は、ハードウェア、ソフトウェア、またはハードウェアおよびソフトウェアの組み合わせで実現されてもよい。本例は、少なくとも1つのコンピュータシステムにおいて集中方式で、または、異なる要素がいくつかの相互接続されたコンピュータシステムに散在する分散方式で実現されてもよい。本明細書に記載の方法を実行するのに適した、任意の種類のコンピュータシステムまたはその他のシステムが好適である。ハードウェアおよびソフトウェアの組み合わせは、ロードされ、かつ実行される場合に本明細書に記載の方法を実行するようにコンピュータシステムを制御するコンピュータプログラムを含む汎用コンピュータシステムであってもよい。
【００４２】
本開示の例はまた、本明細書に記載の方法の実施を可能にする全ての形態を含み、かつ、コンピュータシステムにロードされた場合にこれらの方法を実行することができるコンピュータプログラム製品に埋め込まれてもよい。本文脈のコンピュータプログラムは、任意の言語、コードまたは表記において、情報処理能力を有するシステムに、特定の機能を直接、または、a）他の言語、コードまたは表記への変換、および、b）異なる材料形態での再現のいずれか、または両方の後に行わせることを意図した、一連の命令の任意の表現を意味している。
【００４３】
節1：圧力トランスデューサと、圧力トランスデューサに結合されたプロセッサと、プロセッサに結合された1つ以上の光源とを備える空中給油アセンブリであって、圧力トランスデューサは、空中給油アセンブリ内の燃料圧を検出して空中給油アセンブリ内の検出された燃料圧を示す信号を提供するように構成され、プロセッサは、信号を受信して、検出された燃料圧に関連する態様で1つ以上の光源を閃光させるように構成される、空中給油アセンブリ。
【００４４】
節2：1つ以上の光源が、1つ以上の発光ダイオードを含む、節1に記載の空中給油アセンブリ。
【００４５】
節3：1つ以上の光源が、1つ以上の赤外線発光ダイオードを含む、節1に記載の空中給油アセンブリ。
【００４６】
節4：プロセッサが、信号を受信して、検出された燃料圧に関連する速度で1つ以上の光源を閃光させるように構成される、節1に記載の空中給油アセンブリ。
【００４７】
節5：プロセッサが、信号を受信して、検出された燃料圧に関連するパターンで1つ以上の光源を閃光させるように構成される、節1に記載の空中給油アセンブリ。
【００４８】
節6：圧力トランスデューサが、空中給油アセンブリのドローグアセンブリ内の燃料圧を検出して、空中給油アセンブリのドローグアセンブリ内の検出された燃料圧を示す信号を提供するように構成される、節1に記載の空中給油アセンブリ。
【００４９】
節7：1つ以上の光源が、蛍光光源、ネオン光源、レーザ光源および白熱光源のうちの1つ以上を含む、節1に記載の空中給油アセンブリ。
【００５０】
節8：空中給油アセンブリ内の燃料圧を測定する方法であって、センサを介して、空中給油アセンブリ内の燃料圧を検出するステップと、検出された燃料圧に関連する態様で1つ以上の光源を閃光させるようにプロセッサによって制御するステップと、カメラを介して、1つ以上の光源から閃光を受けるステップと、1つ以上の光源からの閃光を含む空中給油アセンブリの一部の眺めを、ディスプレイに表示するステップとを含む、方法。
【００５１】
節9：1つ以上の光源が、1つ以上の赤外線発光ダイオードを含む、節8に記載の方法。
【００５２】
節10：1つ以上の光源が、1つ以上の赤外光源を含む、節8に記載の方法。
【００５３】
節11：検出された燃料圧に関連する信号をプロセッサへ送信するステップと、検出された燃料圧に関連する速度で1つ以上の光源を閃光させる他の信号を出力するように、プロセッサによって信号を処理するステップとを含む、節8に記載の方法。
【００５４】
節12：信号をプロセッサへ送信するステップであって、信号は検出された燃料圧に関連する、送信するステップと、検出された燃料圧に関連するパターンで1つ以上の光源を閃光させる他の信号を出力するように、プロセッサによって信号を処理するステップとを含む、節8に記載の方法。
【００５５】
節13：空中給油アセンブリ内の検出された燃料圧が、空中給油アセンブリのドローグアセンブリ内の燃料圧である、節8に記載の方法。
【００５６】
節14：空中給油アセンブリ内の燃料圧を測定するシステムであって、圧力トランスデューサと、プロセッサと、1つ以上の光源とを含むセンサシステムであって、プロセッサは圧力トランスデューサに結合され、1つ以上の光源はプロセッサに結合され、圧力トランスデューサは、空中給油アセンブリ内の燃料圧を検出して、空中給油アセンブリ内の検出された燃料圧を示す信号を提供するように構成され、プロセッサは、信号を受信して、検出された燃料圧に関連する態様で1つ以上の光源を閃光させるように構成される、センサシステムと、カメラとディスプレイとを含む視覚システムであって、1つ以上の光源からの閃光はカメラによって捉えられ、かつ、映像としてディスプレイに表示される、視覚システムとを含む、システム。
【００５７】
節15：ディスプレイに表示された閃光が、空中給油アセンブリのドローグアセンブリ内の燃料圧のリアルタイム表示である、節14に記載のシステム。
【００５８】
節16：センサシステムが、空中給油アセンブリのドローグアセンブリの一部である、節14に記載のシステム。
【００５９】
節17：1つ以上の光源が、1つ以上の赤外線発光ダイオードを含む、節14に記載のシステム。
【００６０】
節18：1つ以上の光源が、1つ以上の赤外光源を含む、節14に記載のシステム。
【００６１】
節19：プロセッサが、信号を受信して、空中給油アセンブリのドローグアセンブリの検出された燃料圧に関連する速度で、1つ以上の光源を閃光させるように構成される、節14に記載のシステム。
【００６２】
節20：プロセッサが、信号を受信して、空中給油アセンブリのドローグアセンブリの検出された燃料圧に関連するパターンで、1つ以上の光源を閃光させるように構成される、節14に記載のシステム。
【００６３】
特定の実施例を参照して説明したが、様々な変更が行われてもよく、等価物が、記載された本実施例の範囲を逸脱することなく置換されてもよいことを、当業者は理解するであろう。さらに、その範囲から逸脱することなく、特定の状況または材料を本教示に適合するように多くの変更を行ってもよい。したがって、本開示の実施例は、開示された特定の例に限定されるものではなく、むしろ、添付の特許請求の範囲内に収まる全ての例を含むものである。
【符号の説明】
【００６４】
100、190  システム
110  第1航空機
120  第2航空機
130  空中給油アセンブリ
140  燃料経路
150  ドローグ
160  燃料弁
170  シュラウド
180  連結器
200  赤外光源
210  赤外線カメラ
220  プローブ
230、300  プロセッサ
240、310  メモリ
250、320  記憶装置
260  センサ
270  電源
280、350  バス
290  遠隔システム
330  ディスプレイ
340  その他の入出力装置
【図１】
0006492065.tif 000002
【図２】
0006492065.tif 000003
【図３】
0006492065.tif 000004
【図４】
0006492065.tif 000005